(57)【特許請求の範囲】
【請求項１】
高所の作業現場において使用される強磁性体の着脱部材を複数の指で把持し着脱を行う際に着脱部材の落下を防止する落下防止具であって、
指先装着部と、
磁石モジュールと、
を備え、
前記指先装着部が、
親指用指先装着部と、
人差し指用指先装着部と、
のみにより構成され、
前記磁石モジュールが、
複数の磁石と、
前記複数の磁石を固定する台座と、
を備え、
前記親指用指先装着部は、
親指第一関節より先端寄りであって、かつ、指腹部の中央部分である領域に対応するように形成された前記磁石モジュールを当該領域に配設し、
前記人差し指用指先装着部は、
人差し指第一関節より先端寄りであって、かつ、指腹部の中央部分から親指側の側面部分中央までにかけての領域にのみ対応するように形成された前記磁石モジュールを当該領域に配設すること、
を特徴とする落下防止具。
【請求項２】
前記指先装着部が、
弾性部材で袋形状に形成されること、
前記台座が、
弾性部材で形成され、前記磁石を嵌合させる凹部又は嵌合孔を有すること、
を特徴とする請求項１に記載する落下防止具。
【請求項３】
前記指先装着部が、
該指先装着部内側において開口部を有する前記磁石モジュールの収納袋、
を備え、
前記親指用指先装着部は、
前記収納袋を、親指第一関節より先端寄りであって、かつ、指腹部の中央部分である領域に配設し、
前記人差し指用指先装着部は、
前記収納袋を、人差し指第一関節より先端寄りであって、かつ、指腹部の中央部分から親指側の側面部分中央までにかけての領域にのみ配設して、
前記磁石モジュールが、
前記開口部を介して収納又は取り出しされること、
を特徴とする請求項１又は請求項２に記載する落下防止具。
【請求項４】
複数個の前記磁石が、
底面の直径が高さを超える長さの円柱形状であって、前記台座の平面部に底面を法線方向に向けて略均等に配置されて固定されること、
を特徴とする請求項１から請求項３までのいずれか一項に記載する落下防止具。
【請求項５】
前記指先装着部が、
指先から抜け落ちることを防止する抜け防止具を備えること、
を特徴とする請求項１から請求項４までのいずれか一項に記載する落下防止具。
【請求項６】
前記磁石モジュールを備えた前記親指用指先装着部と前記人差し指用指先装着部とを連結紐又は前記指先装着部の生地を延長し連結して手袋形状に形成したこと、
を特徴とする請求項１から請求項５までのいずれか一項に記載する落下防止具。
【請求項７】
請求項１から請求項６までのいずれか一項に記載する落下防止具を備えたこと、
を特徴とする手袋。
【発明の詳細な説明】
【技術分野】
【０００１】
本発明は、強磁性体の部品又は工具について、高所などの作業現場において落下を防止する落下防止具に関する。
強磁性を有する物質は、鉄、ニッケル、コバルトおよびこれらを含む合金や酸化物の類である（広辞苑第六版より）。
【背景技術】
【０００２】
近年、通信業界において通信情報量の増加に伴い無線基地局の建設や更新が相次いでおり、それに伴い、アンテナ設置工事が増加している。アンテナ設置作業時に手を滑らせてボルト又はナットを落下させ、地上の通行人又は他人の財産と接触し事故に至る事例が報告されている。特に、ナットは着脱の際に把持して回転させるために落下の可能性が高い。高所でのボルトとナットの着脱作業において、落下防止処置を図る必要があった。
【０００３】
高所作業時の人身の落下防止に対応する安全帯や作業床などの設備は多々存在する。
また、作業工具に対しては落下防止紐が存在する。
しかし、ボルトとナットの着脱作業において、ボルト又はナットの落下に対する実用化された専用の防止器具はない。ゴム部材などの摩擦係数の大きい樹脂素材を部品の把持する部分に備えた手袋が存在するが、ゴム部材の摩擦でナットを保持できるわけではない。また、汎用の落下防止ネットではナットを落下させた際にはネットで弾んで地上にまで到達してしまうことがあり、万全であるとは言い難い。
このような現状では、ボルト又はナットを落下させないように注意しながら作業を行うしかなく、万が一、落下させて人身事故となった場合には重い社会責任が発生する。
【０００４】
これらの状況を鑑みて、落下を防止する対策として、以下の先行技術文献が開示されている。
【０００５】
特許文献１及び特許文献３には、ボルト又はナットを吸着させる磁石を指部分などに取り付けた手袋が開示されている。
特許文献２には、目的は異なっているが、１８Ｌ缶の取っ手を起こすために、磁石を装備した指サック又はゴムバンドも開示されており、これを利用することも考えられる。
特許文献１は可撓性のある板状の磁石を、特許文献２はフェライト、ＭＫ、ＯＰ又はゴム磁石片を、特許文献３はゴム板状の磁石を採用している。
【０００６】
特許文献４には、落下防止紐に磁石が装備された保護キャップを連結させ、道具袋と結着させた落下防止具が開示されている。過ってナットを吸着させた保持キャップを落下させたとしても、ナットが落下することはない。
【０００７】
特許文献５には、ネットの袋状ナット保持具が開示されている。作業者は、ナットを袋内に入れた状態でネットの上からナットをボルトから完全に外して、ボルトおよびナットをネットの開口端から抜き取ると、ナットが袋の中に保持され落下することがない。
【先行技術文献】
【特許文献】
【０００８】
【特許文献１】実開昭５９−０９５１１８号公報
【特許文献２】実開平０１−０７８１１７号公報
【特許文献３】実開昭６１−０２４４１４号公報
【特許文献４】実開昭５７−１８１５８８号公報
【特許文献５】特開２０１２−２１５２３３号公報
【発明の概要】
【発明が解決しようとする課題】
【０００９】
しかしながら、特許文献１、特許文献２及び特許文献３の手袋などに単に磁石を取り付けた落下防止具では、ナットなどと当接する面積又は厚みの大きな磁石を手袋の指先に取り付けた場合、ナットを把持する感覚が鈍ってしまう問題があった。一方、感覚を確保するために粉末やゴム状の磁石を手袋に取り付けた場合、設備などに用いられる大きく重いナットに対しては磁力が不足する問題があった。
【００１０】
特許文献４の落下防止紐に磁石が装備された保護キャップを連結させ、道具袋と結着させた落下防止具では、ナットの着脱作業においてナットに繋げられた紐が妨げになりナットを回転させにくく作業効率が落ちる問題があった。
【００１１】
特許文献５のネットの袋状ナット保持具では、ネットの上から手によりナットをボルトから完全に外す作業において、袋が妨げとなり、作業効率が落ちる問題があった。
【００１２】
本発明は、上記の問題に鑑みてなされたものであり、作業効率及び作業における指先の感覚を確保しながら強磁性体の部品又は工具について行う落下防止対策をより万全に近づける落下防止具を提供することを目的とする。加えて、落下防止具を安価に提供することを目的とする。
【課題を解決するための手段】
【００１３】
上記課題を解決するため、本発明の落下防止具は、高所の作業現場において使用される強磁性体の着脱部材を複数の指で把持し着脱を行う際に着脱部材の落下を防止する落下防止具であって、指先装着部と、磁石モジュールと、を備え、前記指先装着部が、親指用指先装着部と、人差し指用指先装着部と、のみにより構成され、前記磁石モジュールが、複数の磁石と、前記複数の磁石を固定する台座と、を備え、前記親指用指先装着部は、親指第一関節より先端寄りであって、かつ、指腹部の中央部分である領域に対応するように形成された前記磁石モジュールを当該領域に配設し、前記人差し指用指先装着部は、人差し指第一関節より先端寄りであって、かつ、指腹部の中央部分から親指側の側面部分中央までにかけての領域にのみ対応するように形成された前記磁石モジュールを当該領域に配設すること、を特徴とする。
【００１６】
また、本発明の落下防止具は、前記指先装着部が、弾性部材で袋形状に形成されること、前記台座が、弾性部材で形成され、前記磁石を嵌合させる凹部又は嵌合孔を有すること、を特徴とする。
【００１８】
また、本発明の落下防止具は、前記指先装着部が、該指先装着部内側において開口部を有する前記磁石モジュールの収納袋、を備え、前記親指用指先装着部は、前記収納袋を、親指第一関節より先端寄りであって、かつ、指腹部の中央部分である領域に配設し、前記人差し指用指先装着部は、前記収納袋を、人差し指第一関節より先端寄りであって、かつ、指腹部の中央部分から親指側の側面部分中央までにかけての領域にのみ配設して、前記磁石モジュールが、前記開口部を介して収納又は取り出しされること、を特徴とする。

【００１９】
また、本発明の落下防止具は、複数個の前記磁石が、底面の直径が高さを超える長さの円柱形状であって、前記台座の平面部に底面を法線方向に向けて略均等に配置されて固定されること、を特徴とする。
【００２３】
また、本発明の落下防止具は、前記指先装着部が、指先から抜け落ちることを防止する抜け防止具を備えること、を特徴とする。
【００２４】
また、本発明の落下防止具は、前記磁石モジュールを備えた前記親指用指先装着部と前記人差し指用指先装着部とを連結紐又は前記指先装着部の生地を延長し連結して手袋形状に形成したこと、を特徴とする。
【００２５】
本発明の手袋は、本発明に係る落下防止具を備えたことを特徴とする。
【発明の効果】
【００２６】
本発明の落下防止具によれば、指先装着部の強磁性体物品を把持する位置に磁石モジュールを取り付けたことにより、強磁性体物品に対して落下防止のための紐などの付属具を取り付けることを必要とせず落下を防止することができ、さらに、把持作業の妨げにならない効果を奏する。
【００２７】
本発明の落下防止具によれば、指先装着部を作業用手袋の各々の指袋の外側に装着が可能であり、落下防止具の交換が容易である効果を奏する。したがって、複数の指に装着する場合には一本の指ごとの交換が可能である。落下防止具のみの交換によれば、安価である効果を奏する。
【００２８】
本発明の落下防止具によれば、台座に磁石を固定することにより、互いの磁力の影響によって不安定になりがちな複数の磁石の位置関係を安定させることができ、かつ、割れやすい素材の磁石の破損を低減できる効果を奏する。
【００２９】
小型軽量の強磁性体の部品又は工具を把持する際には、主に親指の第一関節より先端寄りの部分と人差し指の第一関節より先端寄りの部分とを多用するので、該位置に磁石モジュールを配置するように本発明に係る落下防止具に取り付けることによって、磁石の吸着力を最大限発揮させることができる。また、磁石モジュールを配置する指及び配置する位置を限定することにより、それ以外の指及び位置については、指先の感覚を失わずに作業を行うことができる。
【００３０】
着脱部材であるボルトとナットの着脱作業においては、主に親指の腹部と人差し指の腹部ないし腹部から親指側に寄った位置を多用するので、該位置に磁石モジュールを配置するように本発明に係る落下防止具に取り付けることによって、磁石の吸着力を最大限発揮させることができる。
【００３１】
本発明の落下防止具によれば、台座が、磁石が嵌る凹部又は孔を備えることにより、磁石の固定が容易になり、位置関係が安定する効果を奏する。また、磁石の周囲を完全に台座で囲うことにより破損から保護する効果を奏する。樹脂素材を採用することにより、軽量である効果を奏する。
【００３２】
本発明の落下防止具によれば、台座に弾性部材を採用することにより、柔軟性を備え、強磁性体物品を把持した際に、磁石の底面が指又は強磁性体物品の形状に添うように変形することができる効果を奏する。
【００３３】
本発明の落下防止具によれば、台座の角部をなくし、磁石の形状に沿った形状に形成すれば、作業時において指先の感覚を損なう影響を減じる効果を奏する。また、弾性部材で形成された指先装着部に与えるダメージを減じることができる。
【００３４】
本発明の落下防止具によれば、円柱形状の磁石を採用し、該磁石の底面を強磁性体物品に向けることにより、安定した吸着力を得ることができる効果を奏する。また、角形の磁石と比較して割れが生じにくい。さらに、平面上に略均等に配置されることで、より吸着力が安定する。
【００３５】
本発明の落下防止具によれば、強磁性体物品の吸着面を広い底面にできる円柱形状にすることにより、磁石の吸着力を有効に利用でき、かつ、耐久性を有する効果を奏する。
【００３６】
本発明の落下防止具によれば、ネオジム磁石を採用することにより、強力な磁力を得られ、強磁性体物品の落下の可能性を最小限にすることができる。
【００３７】
本発明の落下防止具によれば、指先装着部を袋状にすることで、装着した際に磁石モジュールの位置決めが容易である効果を奏する。
【００３８】
本発明の落下防止具によれば、収納袋を備えることで、指先装着部又は磁石モジュールが破損した場合に各々交換が可能となる。指先装着部が袋状の場合においては、指先側に前記収納袋の開放部分を設ければ、袋状になった指装着部先端が蓋の役目を果たし開放部分を閉じる構造にすることなく磁石モジュールの脱落が防止できる。
【００３９】
本発明の落下防止具によれば、指先装着部が抜け防止具を備えることにより、指形状の個人差に適応することができ、弾性力のみによっては対応できずに落下防止具が抜け落ちることを防止することができる。
【００４０】
本発明に係る落下防止具を連結し、手袋形状とすることにより、作業用手袋に代用して、強磁性体の部品又は工具の把持を行うことができる効果を奏する。
【図面の簡単な説明】
【００４１】
【図１】本発明に係る落下防止具１の外観斜視図である。
【図２】本発明に係る落下防止具１の磁石モジュール２０を示す外観斜視図である。
【図３】本発明に係る落下防止具１の左半分を透視した状態を示す図である。
【図４】本発明に係る落下防止具１の断面図である。
【図５】本発明に係る落下防止具１の台座２２を示す図である。
【図６】磁石モジュール２０における磁石２１の配置パターンの一例を示す図である。
【図７】本発明に係る落下防止具１を指ＦＧに装着した状態を示す図である。
【図８】本発明に係る落下防止具１を使用して、ボルトＢＴとナットＮＴを着脱する工程を示す図である。
【図９】本発明に係る落下防止具１を使用して、ボルトＢＴとナットＮＴを着脱する工程を示す図である。
【図１０】本発明に係る落下防止具１を使用して、ボルトＢＴとナットＮＴを着脱する工程を示す図である。
【図１１】二個の磁石モジュール２０を使用した本発明に係る落下防止具１を指ＦＧに装着した状態を示す図である。
【図１２】磁石モジュール２０における磁石２１の配置パターンの他の例を示す図である。
【図１３】図１２に示した磁石モジュール２０を取り付けた本発明に係る落下防止具１を指ＦＧに装着した状態を示す図である。
【発明を実施するための形態】
【００４２】
以下、本発明に係る落下防止具１を実施するための最良の形態について、図面に従って説明する。
【００４３】
図１は、本発明に係る落下防止具１の外観斜視図である。
強磁性体物品である部品又は工具について、高所などの作業現場において落下を防止するための落下防止具１は、複数の指ＦＧに装着する指先装着部１０と磁石モジュール２０とを備える。
指先装着部１０は、小型軽量の強磁性体の部品及び工具を把持する手の指ＦＧに装着する。図１では、袋状に形成したものを示したが、バンド状又は指に巻き付ける形状のものでもよい（不図示）。
どの指にまたは何本の指に装着するか作業の内容によって異なる。後述の実施例１では、ボルトＢＴとナットＮＴの着脱作業における具体的な装着状態を示した。また、作業用手袋ＧＶの上に装着するか、指ＦＧに直接装着するかについても選択することが可能である。
【００４４】
指先装着部１０は、強磁性体部品を把持することの多い作業において、摩擦係数が高く、耐久性及びオイル耐性を有し、指先の感覚及びフィット性が確保できる素材であればよいが、ゴム系の弾性部材が好適である。
【００４５】
磁石モジュール２０は、磁石２１と磁石２１を固定する台座２２とを備える。
図１では、台座２２に四個の磁石２１を取り付けた状態を示した。
指先装着部１０の内部であって前記強磁性体物品と当接する位置に磁石モジュール２０を取り付ける。
【００４６】
指先装着部１０の開口部１２側端には、抜け防止具４０を備える。抜け防止具４０は、面ファスナーを使用し、指ＦＧを挿入した際に開口部１２近傍を締め付けることにより、落下防止具１が指先から抜け落ちることを防止する。
親指と他の指のサイズ差又は指のサイズの個人差に対応するために数種類のサイズの指先装着部１０を用意することになるが、指先装着部１０に弾性部材を用いた場合であっても、指からの抜ける可能性を有する。
そこで、指先装着部１０の弾性による指ＦＧの締付具合を抜け防止具４０で調節することにより落下防止具１の指ＦＧからの脱落を防ぐ。本実施の形態においては、面ファスナーを例に挙げたが、指ＦＧの締付を調整できる機能を有していれば、ボタン、ホック又は他のベルト長さ調整具などでもよい。
【００４７】
図２は、本発明に係る落下防止具１の磁石モジュール２０を示す外観斜視図である。
磁石モジュール２０は、指ＦＧの腹部程度の広さの平面を有する台座２２に複数の磁石２１を取り付けたものである。
台座２２を使用せず、指ＦＧの腹部の広さ程度の一個の磁石２１を使用することも考えられるが、磁石２１は大きくなるほど破損しやすくなり、強磁性体物品を把持した際の指先の感覚の確保も難しいため小型の磁石２１を複数使用することとした。
以下、磁石２１の選定について説明する。
磁石２１を小型にした場合、その材質によっては強磁性体物品を把持する力が確保できない場合が考えられるため、候補として、アルニコ磁石、フェライト磁石、サルマニウムコバルト磁石及びネオジム磁石を挙げ、これらの性質を比較して選定を行った。
以下、その比較表を示す。
【００４８】
【表１】
0005914948.tif 000002
【００４９】
落下防止具１に採用するにあたって、必要な項目を抽出し、ランク付けを行った。
１位１０点、２位５点、３位３点、４位１点とランクに重み付けを行い、得点を合計した。
その結果、３９点を獲得したネオジム磁石を第一候補とした。
【００５０】
さらに各々の項目について検討を行った。
ネジ締め作業において磁石２１を薄い指先装着部１０を介して何度も強磁性体物品に当接させること及び破損することを考慮すると機械的強度又はコストは重要項目である。
しかし、強磁性体物品の落下を防止することが本発明の第一目的であることを鑑みれば、「保磁力」が最重要項目であることは明白である。この点からもネオジム磁石が最適であると判断し採用を決定した。
【００５１】
形状について検討を行った。
角形形状で試作を行ったが、角部分の破損が多く発生したので、強磁性体物品に当接する面を円形とし円柱形状の磁石２１を採用することとした。
指先の感覚の確保が可能なものとして、高さ（厚み）が底面の直径より短い長さのものを選定した。
円形であっても大きくなれば破損の可能性が高まるので、破損の頻度が少なくなる直径を選定する必要がある。
試作では、高さを３ｍｍ未満にした場合には、吸着時の衝撃により破損の頻度が高くなった。一方で、高さが３ｍｍを超えると、指先の感覚を確保することができない。
ひとまず、高さを３ｍｍとし、直径を種々変化させて強磁性体物品の吸着実験を行った。
直径が５ｍｍを超えると、破損する頻度が高まった。磁石２１は大きくなるほどにその磁力により吸着時の衝撃が大きくなるためである。
そこで、底面の直径５ｍｍ×高さ３ｍｍの円柱のネオジム磁石を使用し、台座２２としてアクリル板を用いて複数個のネオジム磁石の集合体とすることとした。すなわち、台座２２によって、強度を確保するのである。また、当該磁石２１の面積寸法は、人差し指の腹を概ね四個程度で覆うことができる寸法である。複数個使用することにより、磁力が有効に働く面積を大きく取ることができる。なお、当該寸法は一例であって、台座２２であるアクリル板の厚み又は面積を調整すれば、これに限定されるものではない。
【００５２】
図３は、本発明に係る落下防止具１の左半分を透視した状態を示す図である。
また、図４は、本発明に係る落下防止具１の断面図である。
磁石モジュール２０は、指先装着部１０に接着するなど直接取り付けること又はゴムコートにより固定することも可能である。本実施の形態では、指先装着部１０の指腹部中央から両側面部に掛けての生地内側に収納袋３０を設け、当該収納袋３０内に磁石モジュール２０を収めることにより取り付けるものを示した。
収納袋３０の素材は特に限定するものではないが、指先装着部１０と同じく弾力性を有する素材が好適である。
指先装着部１０が袋状の場合には、先端部分の生地が蓋の役割を果たし磁石モジュール２０が収納袋３０から外部に抜け出ることはない。磁石モジュール２０の取り付けは、指先装着部１０を裏返したうえで磁石モジュール２０を収納袋３０に挿入し、再び、指先収納部を裏返して磁石モジュール２０を収めた収納袋３０を指先収納部の内部とすることによって行う。
磁石２１が破損した場合には磁石モジュール２０のみの交換が可能となり、安価である。逆に指先装着部１０が破損した場合であっても、指先装着部１０のみの交換が可能となる。
指先装着部１０が、バンド形状又は指に巻き付ける形状のタイプでは磁石モジュール２０を収めた後に収納袋３０の開放部分を閉じる必要がある。
【００５３】
図５は、本発明に係る落下防止具１の台座２２を示す図である。図５（ａ）では、台座２２の外観斜視図を示した。また、図５（ｂ）では、台座２２の断面図を示した。
台座２２は、アクリル樹脂で形成され、磁石２１を嵌合させる凹部２６又は嵌合孔２６を有する。磁石２１を台座２２に取り付けるのは、複数の磁石２１が互いの強力な磁力によって位置関係が変わってしまうことを防止し、所定の平面において安定して均等な磁力を得るためである。
台座２２は角部を丸めた平板形状に形成される。平面部分は、指側及び強磁性体物品側に面する。台座２２の厚みは、磁石２１の厚みと同程度であることが望ましい。可能な限り薄く強磁性体物品を把持する感覚を確保する必要がある。磁石２１の嵌合部を凹部２６とした場合、磁石２１の固定が容易であるが、台座２２をより薄くするために嵌合孔２６として厚みを磁石２１と同寸法にする方がより好適である。
平面の形状も含めて角を丸めることが好適である。指先装着部１０を傷つけたり、指ＦＧに痛みが生じたりすることを軽減できるためである。
平面の形状は、円形、楕円形又は磁石２１の縁に沿った形状であることが好適である。可能な限り小型にし、作業上の指先の感覚を確保するためである。
【００５４】
台座２２を弾性部材で形成すれば、指ＦＧの腹部及び把持した強磁性体物品に倣うように形状が変形し、一層作業上の指先の感覚を確保することが可能になる。また、強磁性体物品に磁石２１の底面が広く当接するため磁力を有効に活用することが可能になる。
【００５５】
図６は、磁石モジュール２０における磁石２１の配置パターンの一例を示す図である。
円柱形状である複数個の磁石２１が、台座２２の平面上に底面を法線方向に向けて略均等に配置されて固定される。
図６（ａ）、（ｂ）では、四個の円柱形状の磁石２１について円形又は楕円形の台座２２に略均等になるように配置した。図６（ａ）は、面積の広い指、例えば親指の腹部に適応するように円形の台座２２に磁石２１を固定した。図６（ｂ）は、縦長の指、例えば人差し指又は中指の腹部に適応するように楕円形の台座２２とした。
図６（ｃ）、（ｄ）は、大きい指のサイズに適応させるために、面積を広げ磁石２１の個数を増やす場合、又は、強い磁力を確保するために、面積を変えず磁石２１の個数を増やし密度を増した場合を示した。
台座２２の平面上において、バランスのとれた磁力を得られる磁石２１の配置とすることが目的である。
【実施例１】
【００５６】
以下、本発明に係る落下防止具１を使用して強磁性体部品である着脱部材の着脱作業を行う一実施例を示す。なお、着脱部材とは、ナット、ボルト、ワッシャーなどの部材を連結するために着脱する部品を指す。
ボルトＢＴとナットＮＴを締結する工程を説明する。
図７は、本発明に係る落下防止具１を指ＦＧに装着した状態を示す図である。
落下防止具１は、ナットＮＴを把持する側の手に装着する。着脱作業はナットＮＴを回転させて行うことが多く、ボルトＢＴは概ね固定物の孔に挿入されて落下の可能性が低いためである。
装着は、指ＦＧを指先装着部１０の開口部１２に挿入することにより行う。なお、より安全性確保の効果を発揮させるため両手に装着してもよい。
【００５７】
落下防止具１は、作業用手袋ＧＶの上に重ねて装着する。軽作業であれば、直接指ＦＧに装着してもよい。
着脱の作業は、主に親指と人差し指で行われるため、当該二本指に装着する。
落下防止具１の磁石モジュール２０は、装着された指先装着部１０の親指と人差し指の第一関節より先端寄りに位置するように取り付けられている。
単にナットＮＴを保持している場合は３本以上の指ＦＧで保持することがより安全である。しかし、着脱等の作業を行う際には、ナットＮＴを回転、移動させなければならず、３本以上の指ＦＧを用いることは非効率であり、かえって不用意にナットＮＴが指ＦＧに触れて落下する場合もある。
したがって、ナットＮＴを回転、移動等作業している場合には、親指と人差し指に限定することが好適である。
しかし、二本指に取り付けられた磁石２１の磁力でナットＮＴを保持することができなければ、実用化することは妥当ではない。
そこで、試作の落下防止具１を用いてボルトＢＴとナットＮＴの着脱作業を繰りかえして行う実験を行った。着脱作業の際にナットＮＴを故意に把持し損じる状況も設定した。その結果、親指と人差し指への落下防止具１の装着で磁石２１に保持されず落下する場合は発生しなかった。ネオジム磁石を採用した場合、強力な磁力でさらに安全性が向上し好適である。
【００５８】
特に、強磁性体のナットＮＴを把持する場合においては、図７に示したように、磁石モジュール２０を取り付ける位置が、前記親指に装着する指先装着部１０においては、第一関節より先端寄りであって、かつ、指腹部ＰＦの中央領域であり、前記人差し指に装着する指先装着部１０においては、第一関節より先端寄りであって、かつ、指腹部ＰＦの中央から親指側の側面部中央までにかけての領域であることが好適である。理由については、以下作業工程の説明中で述べる。
【００５９】
図８は、本発明に係る落下防止具１を使用して、ボルトＢＴとナットＮＴを着脱する工程を示す図である。
通常、ナットＮＴは親指の腹部の中央及び人差し指の腹部の中央を当接させ、中指を補助として添えて把持する。前段落で述べたように、人差し指の磁石モジュール２０は親指寄り腹部に位置させている。そのため、ナットＮＴの一部は磁石モジュール２０から外れることになるが、ネオジム磁石の磁力をもってすれば、指先の力がナットＮＴを把持するために作用する方向から外れた場合であっても、ナットＮＴは磁石２１に吸着され落下することはない。
台座２２を弾性部材とした場合には、指ＦＧに倣うため人差し指の腹部中央から親指側の側面部中央までにかけての大きさに形成できる。その際には、上記のようにナットＮＴの一部が磁石モジュール２０から外れることもない。
【００６０】
図９は、本発明に係る落下防止具１を使用して、ボルトＢＴとナットＮＴを着脱する工程を示す図である。
図９では、ボルトＢＴとナットＮＴを螺合させるために雄ネジ部分と雌ネジ部分を当接させた状態を示している。
この状態での磁石モジュール２０とナットＮＴの位置関係は、図８の場合と同じである。
【００６１】
図１０は、本発明に係る落下防止具１を使用して、ボルトＢＴとナットＮＴを着脱する工程を示す図である。
図１０では、雄ネジ部分と雌ネジ部分を当接させた状態からナットＮＴを反時計方向（ナット側から視認、以下、同じ）に回転させた際の磁石モジュール２０と指先の当接状態を示している。
図９の状態から反時計回りにナットＮＴを回転させると、ナットＮＴは、人差し指の捻る動作に伴い、人差し指の腹部中央から親指寄り腹部に転がって移動する。
それに対して、親指は、腹部の同じ位置をナットＮＴに当接させたまま捻る動作を行う。
人差し指の磁石モジュール２０の取付位置（図７を参照）は図９から図１０へと変化する指先のナットＮＴへの当接の状態を考慮して決定された。
ボルトＢＴの雄ネジ部分とナットＮＴの雌ネジ部分が係合したならば、ナットＮＴを把持していた親指と人差し指を一旦ナットＮＴから離し、親指の腹部の中央及び人差し指の腹部の中央をナットＮＴに当接させ、中指を補助として添える図９の状態に戻して把持する。
その後、ナットＮＴを反時計方向に回転させる図１０の状態に移行する。
以後、手の力で回転させることが可能な限り、図９から図１０への工程を繰り返し、仮締めを行う。
仮締めの後は、スパナなどの締結工具によって緩みが発生しないように本締めを行う。
【００６２】
ボルトＢＴからナットＮＴを取り外す工程について説明する。
落下防止具１は、締結する場合と同じ形態に装着する（図７）。
まず、締結工具によって、ボルトＢＴとナットＮＴの締結状態を緩める。
その後、締結の工程とは逆に、ナットＮＴは親指の腹部の中央及び人差し指の腹部中央から親指寄り腹部を当接させて把持する。すなわち、図１０の状態にナットＮＴを把持する。
図１０の状態から時計回り（ナット側から視認、以下、同じ）にナットＮＴを回転させるとナットＮＴは親指寄り腹部から人差し指の腹部中央に移動し、図９の状態になる。
ナットＮＴを把持していた親指と人差し指を一旦ナットＮＴから離し、親指の腹部の中央及び人差し指の腹部中央から親指寄り腹部をナットＮＴに当接させる図１０の状態に戻して把持する。
その後、ナットＮＴを時計方向に回転させる図９の状態に移行する。
以後、ボルトＢＴとナットＮＴが離脱するまで図１０から図９への工程を繰り返す。離脱の際に、指先の力がナットＮＴを把持するために作用する方向から外れた場合であっても、ナットＮＴは磁石２１に吸着され落下することはない。
【実施例２】
【００６３】
図１１は、二個の磁石モジュール２０を使用した本発明に係る落下防止具１を指ＦＧに装着した状態を示す図である。
図７に示した楕円形の一個の磁石モジュール２０を人差し指の腹部中央から親指寄りの腹部に掛けて位置するように取り付けた場合、人差し指の中指寄りの腹部に磁力の弱い部分が生じる。また、硬質の樹脂素材を採用した際には、強磁性物品の指ＦＧへの添い方が十分でない場合がある。ナットＮＴの把持の方法には、少なからず個人差を有する。
個人差を補償するために、図１１に示したように、人差し指の腹部中央に磁石モジュール２０を配置し、加えて、人差し指の親指寄りの腹部に磁石モジュール２０を配置し、人差し指の腹部前面から親指寄りの側面にかけて磁力が働くようにしたものである。
【実施例３】
【００６４】
図１２は、磁石モジュール２０における磁石２１の配置パターンの他の例を示す図である。
図１３は、図１２に示した磁石モジュール２０を取り付けた本発明に係る落下防止具１を指ＦＧに装着した状態を示す図である。
台座２２に弾性部材を採用して指ＦＧに添うように変形する磁石モジュール２０を使用した場合、実施例２に示した二個の磁石モジュール２０を一個にすることが可能となる。
弾性部材である場合には、指先装着部１０内部において、曲面を成している指側面に磁石モジュール２０を密着するように添わせることが可能であり、強磁性体物品を把持した際に指ＦＧの感覚を十分に確保ができる効果が生じる。
ボルトＢＴとナットＮＴの着脱作業について例示したが、作業に応じて磁石２１を配置した磁石モジュール２０を用意し、収納袋３０内の磁石モジュール２０を交換することが可能である。
【実施例４】
【００６５】
工具を把持する場合は、落下防止具１の磁石モジュール２０が五指の腹部中央に位置するように取り付け装着する（不図示）。工具はナットなどの部品と比較して重量が大きいため、十分な磁力を確保するために五指に装着する（不図示）。また、工具は主に指腹部中央で把持することが経験上判明している。したがって、磁石モジュール２０は腹部中央に位置するように取り付ける。
【実施例５】
【００６６】
磁石モジュール２０を備えた指先装着部１０を連結紐又は指先装着部１０の生地を延長し連結して手袋形状に形成すれば、作業用手袋としての機能を具備することが可能となる。
【産業上の利用可能性】
【００６７】
組立作業を行う工場内又は屋外での工事現場において、品質管理及び安全対策に活用可能である。
【符号の説明】
【００６８】
１  落下防止具
１０  指先装着部
１２  開口部
２０  磁石モジュール
２１  磁石
２２  台座
２６  嵌合孔（凹部）
３０  収納袋
４０  抜け防止具
ＢＴ  ボルト
ＦＧ  指
ＧＶ  手袋
ＨＤ  手
ＮＴ  ナット
ＰＦ  指腹部
【要約】
【課題】本発明は、作業効率及び作業における指先の感覚を確保しながら強磁性体の部品又は工具について行う落下防止対策をより万全に近づける落下防止具を提供することを目的とする。加えて、落下防止具を安価に提供することを目的とする。
【解決手段】上記課題を解決するため、本発明の落下防止具は、複数の指で把持する強磁性体物品の落下を防止する落下防止具であって、前記複数の指に装着する指先装着部と、磁石モジュールと、を備え、前記磁石モジュールが、複数の磁石と、磁石を固定する台座と、を備え、前記指先装着部における前記強磁性体物品と当接する位置に前記磁石モジュールを取り付けること、を特徴とする。
【選択図】          図１【図１】
0005914948.tif 000003
【図２】
0005914948.tif 000004
【図３】
0005914948.tif 000005
【図４】
0005914948.tif 000006
【図５】
0005914948.tif 000007
【図６】
0005914948.tif 000008
【図７】
0005914948.tif 000009
【図８】
0005914948.tif 000010
【図９】
0005914948.tif 000011
【図１０】
0005914948.tif 000012
【図１１】
0005914948.tif 000013
【図１２】
0005914948.tif 000014
【図１３】
0005914948.tif 000015